(57)【要約】【課題】表示部を備える電子機器の防水性を確保する。【解決手段】電子機器（１）は、表示部（１１、１５）と、表示部上に配置され、表示部を保護する保護部材（１１１、１２１）と、保護部材と同一面上に配置される表面部材（１１２、１２２）と、保護部材と表面部材との間の間隙を覆う形状を有しており、且つ保護部材及び表面部材と表示部との間に挟持される防水シート（１１３、１２３）とを備える。【選択図】図５
2012042550.tif 000002
【特許請求の範囲】
【請求項１】
表示部と、
前記表示部上に配置され、前記表示部を保護する保護部材と、
前記保護部材と同一面上に配置される表面部材と、
少なくとも前記保護部材と前記表面部材との間の間隙を覆う形状を有しており、且つ前記保護部材及び前記表面部材と前記表示部との間に挟持される防水シートと
を備えることを特徴とする電子機器。
【請求項２】
前記防水シートは、少なくとも前記保護部材及び前記表面部材の夫々の外縁部分を覆う形状を有していることを特徴とする請求項１に記載の電子機器。
【請求項３】
前記防水シートは、前記保護部材及び前記表面部材の全体を覆う形状を有していることを特徴とする請求項１又は２に記載の電子機器。
【請求項４】
前記保護部材及び前記表面部材と、前記防水シートとは、光透過性を有する接着部材によって貼り付けられていることを特徴とする請求項１から３のいずれか一項に記載の電子機器。
【請求項５】
前記接着部材は、ＯＣＡ（Optical Clear Adhesive）を含むことを特徴とする請求項４に記載の電子機器。
【請求項６】
前記保護部材及び前記防水シートの少なくとも一方は、光透過性を有していることを特徴とする請求項１から５のいずれか一項に記載の電子機器。
【請求項７】
表示部を備えた電子機器に取り付けられる外装パネルであって、
前記表示部上に配置され、前記表示部を保護する保護部材と、
前記保護部材と同一面上に配置される表面部材と、
少なくとも前記保護部材と前記表面部材との間の間隙を覆う形状を有しており、且つ前記保護部材及び前記表面部材と前記表示部との間に挟持される防水シートと
を備えることを特徴とする外装パネル。
【発明の詳細な説明】
【技術分野】
【０００１】
本発明は、例えば携帯電話等の電子機器及びこのような電子機器が備える外装パネルの技術分野に関する。
【背景技術】
【０００２】
携帯電話等の電子機器は、液晶ディスプレイや有機ＥＬ（Electro Luminescence）ディスプレイ等の表示部を備えている。表示部を備える携帯電話では、表示部を含む携帯電話本体を１枚の外装パネルによって覆うことで、携帯電話の防水性能を確保する手法が提案されている。
【先行技術文献】
【特許文献】
【０００３】
【特許文献１】特開２００８−８３２６３号公報
【特許文献２】特開２００９−８７０３号公報
【発明の概要】
【発明が解決しようとする課題】
【０００４】
しかしながら、１枚の外装パネルを用いるがゆえに、以下に示す技術的な問題が生じかねない。具体的には、携帯電話が表示部を備えているがゆえに、外装パネルは透明材料であることが望ましい。一方で、外装パネルには、何らかの装飾が施されることがある。しかしながら、透明材料を用いて外装パネルを製造する場合には、透明材料の特性によっては、装飾において望まれる発色や形状等を実現することが困難な場合が生じかねない。従って、１枚の外装パネルを用いると、携帯電話の装飾（つまり、デザイン）の自由度が狭くなってしまいかねない。
【０００５】
このため、外装パネルのうちの表示部を覆うパネル部分と表示部以外を覆うパネル部分とを組み合わせた外装パネルによって、携帯電話の装飾の自由度を広くする対応策が考えられる。しかしながら、２つのパネル部分の仕様の相違に起因して２つのパネル部分の厚みが異なるものになりかねない。加えて、このような２つのパネル部分を含む外装パネルを受ける筐体フレームの形状が複雑になりかねない。このため、外装パネルないしは筐体フレームの成形時にヒケが発生する可能性がある。ヒケが発生した場合には、外装パネルと筐体フレームとの間の防水性を維持することができないという技術的な問題点が生ずる。
【０００６】
更に、外装パネルのうちの表示部を覆うパネル部分と表示部以外を覆うパネル部分とを別個独立の部品として分割する対応策が一例として考えられる。しかしながら、１枚の外装パネルを複数のパネル部分に分割するがゆえに、分割されたパネル部分の境界における防水性を維持することができないという技術的な問題点が生ずる。
【０００７】
尚、これらの課題は、携帯電話に限らず、表示部を備える任意の電子機器においても同様に発生し得る。
【０００８】
本発明が解決しようとする課題には上記のようなものが一例として挙げられる。本発明は、例えば表示部を備える電子機器の防水性を確保することが可能な電子機器及び電子機器用の外装パネルを提供することを目的とする。
【課題を解決するための手段】
【０００９】
上記課題は、表示部と、保護部材と、表面部材と、防水シートとを備える電子機器によって解決され得る。保護部材は、表示部上に配置され、表示部を保護する。表面部材は、保護部材と同一面上に配置される。防水シートは、少なくとも保護部材と表面部材との間の間隙を覆う形状を有しており、且つ保護部材及び表面部材と表示部との間に挟持される。
【００１０】
上記課題は、表示部を備えた電子機器に用いられる外装パネルであって、上述した保護部材と、上述した表面部材と、上述した防水シートとを備える外装パネルによって解決され得る。
【発明の効果】
【００１１】
以上説明した電子機器及び外装パネルによれば、保護部材及び表面部材と表示部との間に挟持される防水シートによって、電子機器の防水性（例えば、表示部の防水性）を確保することができる。
【図面の簡単な説明】
【００１２】
【図１】開状態にある場合の、本実施形態の携帯電話のフロント側部分の外観を示す斜視図である。
【図２】開状態にある場合の、本実施形態の携帯電話のリア側部分の外観を示す斜視図である。
【図３】閉状態にある場合の、本実施形態の携帯電話の外観を示す斜視図及び側面図である。
【図４】表示側装置の詳細な構成を示す斜視図である。
【図５】表示側装置のうちのフロント側装置の詳細な構成を、フロント側装置が備える各構造物を分解した状態で示す分解斜視図及び分解断面図である。
【図６】表示側装置のうちのリア側装置の詳細な構成を、リア側装置が備える各構造物を分解した状態で示す分解斜視図及び分解断面図である。
【図７】第１変形例のフロント側装置の詳細な構成を、フロント側装置が備える各構造物を分解した状態で示す分解斜視図及び分解断面図である。
【図８】第１変形例のリア側装置の詳細な構成を、リア側装置が備える各構造物を分解した状態で示す分解斜視図及び分解断面図である。
【図９】第２変形例のフロント側装置の詳細な構成を、フロント側装置が備える各構造物を分解した状態で示す分解斜視図及び分解断面図である。
【図１０】第２変形例のリア側装置の詳細な構成を、リア側装置が備える各構造物を分解した状態で示す分解斜視図及び分解断面図である。
【発明を実施するための形態】
【００１３】
以下、本発明を実施するための形態を、図面に基づいて説明する。尚、以下の説明では、電子機器の一例としての携帯電話を用いて説明を進める。但し、携帯電話に限らず、その他の各種電子機器（例えば、ＰＤＡや、ミニパソコンや、ノートパソコンや、デスクトップパソコン等）に対して、後述する構成が適用されてもよい。
【００１４】
（１）携帯電話の外観
図１から図３を参照して、本実施形態の携帯電話１の外観について説明する。図１は、開状態にある場合の、本実施形態の携帯電話１のフロント側部分の外観を示す斜視図である。図２は、開状態にある場合の、本実施形態の携帯電話１のリア側部分の外観を示す斜視図である。図３は、閉状態にある場合の、本実施形態の携帯電話１の外観を示す斜視図及び側面である。
【００１５】
尚、以下では、折り畳み式の携帯電話１を用いて説明を進める。しかしながら、その他の形状を有する携帯電話（例えば、ストレート式ないしはスライド式の携帯電話等）に対して、後述する構成が適用されてもよい。また、図１から図３では、本実施形態の携帯電話１の説明に必要な構成を選択的に明示している。従って、本実施形態の携帯電話１は、携帯電話としての機能に必要な不図示の他の構成を適宜備えていてもよい。
【００１６】
図１及び図２に示すように、携帯電話１は、表示側装置１０と、操作側装置２０とを備えている。尚、図１及び図２は、折り畳まれていない状態（つまり、開状態）の携帯電話１を示している。
【００１７】
図１に示すように、表示側装置１０は、そのフロント側（言い換えれば、内側ないしは表側）に、メインディスプレイ１１と、受話口１４とを備えている。メインディスプレイ１１は、「表示部」の一例であって、任意の情報（例えば、文字や画像や図柄等）を表示することができる。例えば、メインディスプレイ１１は、現在の時刻や携帯電話１の充電状況や携帯電話１の電波の受信状態や発着信の履歴やアドレス帳やメール等を表示することができる。尚、メインディスプレイ１１は、例えば液晶ディスプレイや有機ＥＬディスプレイ等である。受話口１４は、その内側にスピーカ１４ａを備えている。携帯電話１のユーザは、スピーカ１４ａから出力される音声を聞き取ることができる。
【００１８】
同様に、図１に示すように、操作側装置２０は、そのフロント側に、複数の操作ボタン２１と、送話口２２とを備えている。複数の操作ボタン２１は、ユーザによって操作可能であって、例えば数字ボタンや、電源ボタンや、通話ボタンや、メールボタンや、十字ボタン等を含む。送話口２２は、その内側にマイク２２ａを備えている。携帯電話１のユーザは、マイク２２ａを介して音声を携帯電話１に入力することができる。
【００１９】
一方で、図２に示すように、表示側装置１０は、そのリア側（言い換えれば、外側ないしは裏側）に、サブディスプレイ１５と、静電センサ１６とを備えている。サブディスプレイ１５は、「表示部」の一例であって、任意の情報（例えば、文字や画像や図柄等）を表示することができる。例えば、サブディスプレイ１５は、現在の時刻や携帯電話１の充電状況や携帯電話１の電波の受信状態等を表示することができる。尚、サブディスプレイ１５は、例えば液晶ディスプレイや有機ＥＬディスプレイ等である。静電センサ１６は、静電センサ１６が配置されている表示側装置１０のリア側の表面をなぞるユーザの操作を検出することで、当該操作に応じた信号を出力する。尚、静電センサ１６は、後述する樹脂パネル１２２（図６参照）に覆われることで表示側装置１０の外部に露出していなくともよい。
【００２０】
同様に、図２に示すように、操作側装置２０は、そのリア側に、例えば画像ないしは動画を撮影するためのカメラ２３や、不図示の充電池や、充電池を覆う電池蓋２４や、充電池の充電を行うための金属製の充電端子２５等を備えている。
【００２１】
図１及び図２に示すように、本実施形態の携帯電話１は、図中の矢印の方向に沿って表示側装置１０を操作側装置２０に対して折り畳むことが可能な折り畳み式の携帯電話１である。その結果、携帯電話１は、図３（ａ）に示すように、表示側装置１０が備えるメインディスプレイ１１と操作側装置２０が備える操作ボタン２１とが対向するように折り畳まれた状態（つまり、閉状態）となる。
【００２２】
図３（ｂ）に示すように、閉状態の携帯電話１の表示側装置１０は、そのリア側の表面（つまり、サブディスプレイ１５及び静電センサ１６）を外部に露出させていてもよい。一方で、閉状態の携帯電話１の表示側装置１０は、そのフロント側の表面（つまり、メインディスプレイ１１及び受話口１４）を外部に露出させていなくともよい。但し、閉状態の携帯電話１の表示側装置１０は、そのリア側の表面を外部に露出させていなくともよいし、そのフロント側の表面を外部に露出させていてもよい。
【００２３】
同様に、図３（ｃ）に示すように、閉状態の携帯電話１の操作側装置２０は、そのリア側の表面（つまり、カメラ２３、電池蓋２４及び充電端子２５）を外部に露出させている。一方で、閉状態の携帯電話１の操作側装置２０は、そのフロント側の表面（つまり、操作ボタン２１及び送話口２２）を外部に露出させていなくともよい。但し、閉状態の携帯電話１の操作側装置２０は、そのリア側の表面を外部に露出させていなくともよいし、そのフロント側の表面を外部に露出させていてもよい。
【００２４】
（２）表示側装置１０の構成
図４を参照して、表示側装置１０の詳細な構成について説明する。図４は、表示側装置１０の詳細な構成を示す斜視図である。
【００２５】
図４（ａ）及び図４（ｂ）に示すように、表示側装置１０は、フロント側の構造物（つまり、上述したメインディスプレイ１１及び受話口１４）を備えるフロント側装置１１０と、リア側の構造物（つまり、上述したサブディスプレイ１５及び静電センサ１６）を備えるリア側装置１２０とを備えている。尚、図４（ａ）は、フロント側装置１１０側から見た表示側装置１０を示しており、図４（ｂ）は、リア側装置１２０側から見た表示側装置１０を示している。
【００２６】
フロント側装置１１０とリア側装置１２０とは、例えば所定の接着部材（例えば、接着剤や、ネジや、ビス等）によって互いに固着される又は貼り合わせられる。このとき、フロント側装置１１０とリア側装置１２０とは、図４（ａ）及び図４（ｂ）に示すように、メインディスプレイ１１及びサブディスプレイ１５が配置される側とは反対側の面で互いに対向するように固着される又は貼り合わせられる。言い換えれば、フロント側装置１１０とリア側装置１２０とは、図４（ａ）及び図４（ｂ）に示すように、メインディスプレイ１１及びサブディスプレイ１５が外部から視認できるように互いに固着される又は貼り合わせられる。
【００２７】
（３）表示側装置１０のうちのフロント側装置１１０の構成
図５を参照して、表示側装置１０のうちのフロント側装置１１０の詳細な構成について説明する。図５は、表示側装置１０のうちのフロント側装置１１０の詳細な構成を、フロント側装置１１０が備える各構造物を分解した状態で示す分解斜視図及び分解断面図である。
【００２８】
図５（ａ）及び図５（ｂ）に示すように、フロント側装置１１０は、樹脂パネル１１１と、樹脂パネル１１２と、ＰＥＴ（Polyethylene Terephthalate：ポリエチレンテレフタラート）シート１１３と、メインディスプレイ１１と、フロント側フレーム（フロント側筐体）１１５とを備えている。尚、図５（ｂ）は、図５（ａ）のＶ−Ｖ’断面図を示している。
【００２９】
樹脂パネル１１１は、「保護部材」の一例であって、メインディスプレイ１１を保護する樹脂製のパネル（言い換えれば、薄板）である。樹脂パネル１１１は、樹脂パネル１１１の法線方向に沿ってメインディスプレイ１１と重なるように、フロント側装置１１０中に配置されていることが好ましい。例えば、樹脂パネル１１１は、樹脂パネル１１１の一部又は全体がメインディスプレイ１１の一部又は全体と重なるように配置されていてもよい。樹脂パネル１１１は、光透過性を有していることが好ましい。例えば、樹脂パネル１１１の光透過率が、数十％以上（好ましくは９０％以上、より好ましくは９９％以上）であることが好ましい。
【００３０】
樹脂パネル１１２は、「表面部材」の一例であって、樹脂パネル１１１と同一平面上に配置される。樹脂パネル１１２は、樹脂パネル１１２の法線に沿ってメインディスプレイ１１（或いは、樹脂パネル１１１）と重ならない位置に配置されることが好ましい。図５（ａ）及び図５（ｂ）に示す例では、樹脂パネル１１２は、内部にメインディスプレイ１１と同等の又はより大きいサイズ（或いは、樹脂パネル１１１と同様の又はより大きいサイズ）の空隙を有する枠型の形状を有しており、当該空隙に樹脂パネル１１１が嵌め込まれる構成を採用している。尚、図５では、ハッチングされた部分が樹脂パネル１１２を示しており、ハッチングされた部分に囲まれた部分が空隙を示している。但し、樹脂パネル１１２は、樹脂パネル１１２の法線に沿ってメインディスプレイ１１の一部（或いは、樹脂パネル１１１の一部）と重なる位置に配置されてもよい。樹脂パネル１１２の表面ないしは内部には、所定の装飾が施されてもよい。所定の装飾として、例えば、文字、数字若しくは絵柄のプリントないしは刻み込みや、所定の色の色付けや、磨き上げ等の加工処理等が一例としてあげられる。また、樹脂パネル１１２とフロント側フレーム１１５との間にＬＥＤ（Light Emitting Device）等の発光素子が配置される場合には、樹脂パネル１１２は、発光素子から発生される光を外部に透過させる孔部を所定の装飾として備えていてもよい。尚、樹脂パネル１１２は、光透過性を有していてもよいし有していなくともよい。
【００３１】
尚、樹脂性のパネルに限らず、上述した条件を満たす任意のパネル（例えば、金属製のパネル等）を樹脂パネル１１１や樹脂パネル１１２として用いてもよい。加えて、フロント側装置１１０は、メインディスプレイ１１の大きさや形状や数、その他の機能部の大きさや形状や数、及び施すべき装飾の種類や形状や数等に応じて、２つの樹脂パネル１１１及び１１２に加えて、更に多くの樹脂パネルを備えていてもよい。
【００３２】
ＰＥＴシート１１３は、「防水シート」の一例であって、ＰＥＴを含む薄膜状のシートである。ＰＥＴシート１１３は、光透過性を有していることが好ましい。例えば、ＰＥＴシート１１３の光透過率が、数十％以上（好ましくは９０％以上、より好ましくは９９％以上）であることが好ましい。尚、ＰＥＴ以外の任意の材料（例えば、任意の樹脂や、任意の繊維や、任意の金属等）を含む薄膜状のシートないしは薄板状のパネルを、ＰＥＴシート１１３として用いてもよい。また、ＰＥＴシート１１３の表面ないしは内部には、所定の装飾が施されてもよい。
【００３３】
ＰＥＴシート１１３の一方の面上には、ＯＣＡ（Optical Clear Adhesive）１１４を用いて、樹脂パネル１１１及び樹脂パネル１１２が貼り付けられる。但し、ＯＣＡ１１４以外の光学のり（或いは、光透過性を有する接着材）を用いて、樹脂パネル１１１及び樹脂パネル１１２がＰＥＴシート１１３の一方の面上に貼り付けられてもよい。図５（ａ）及び図５（ｂ）中の矢印は、ＰＥＴシート１１３に対する樹脂パネル１１１及び樹脂パネル１１２の貼り付けの態様を示している。従って、ＰＥＴシート１１３は、樹脂パネル１１１及び樹脂パネル１１２の面方向のサイズと同一の又はより大きい面方向のサイズを有していることが好ましい。但し、後述の第１及び第２変形例で説明するように、ＰＥＴシート１１３は、樹脂パネル１１１及び樹脂パネル１１２の面方向のサイズよりも小さい面方向のサイズを有していてもよい。尚、図５（ａ）及び図５（ｂ）では、ＰＥＴシート１１３の全面にＯＣＡ１１４が塗布される例が記載されているが、ＰＥＴシート１１３と樹脂パネル１１１の間及びＰＥＴシート１１３と樹脂パネル１１２の間にＯＣＡ１１４が塗布されてもよい。言い換えれば、樹脂パネル１１１と樹脂パネル１１２との間の空隙に対応するＰＥＴシート１１３上にはＯＣＡ１１４が塗布されていなくともよい。
【００３４】
ＰＥＴシート１１３の他方の面（つまり、樹脂パネル１１１及び樹脂パネル１１２が貼り付けられる面とは反対側の面）は、両面接着テープ(以下「両面テープ」という)１１６を用いて、フロント側フレーム１１５に対して貼り付けられる。但し、ＰＥＴシート１１３の他方の面は、両面テープ１１６以外の任意の接着部材（例えば、接着剤や、ネジや、ビス等）を用いて、フロント側フレーム１１５に対して貼り付けられてもよい。ＰＥＴシート１１３は、フロント側フレーム１１５との間にメインディスプレイ１１の全体を挟み込むことができる程度のサイズを有していることが好ましい。加えて、ＰＥＴシート１１３とフロント側フレーム１１５とを貼り付ける両面テープ１１６は、両面テープ１１６の内側にメインディスプレイ１１の全体が位置するように、フロント側フレーム１１５上に（或いは、ＰＥＴシート１１３上に）配置されることが好ましい。加えて、両面テープ１１６は、両面テープ１１６の内側に位置するメインディスプレイ１１の防水性を確保することができるように、フロント側フレーム１１５上に（或いは、ＰＥＴシート１１３上に）閉ループを形成するように配置されることが好ましい。
【００３５】
尚、樹脂パネル１１１及び樹脂パネル１１２が貼り付けられたＰＥＴシート１１３は、「外装パネル」の一例となる。
【００３６】
フロント側フレーム１１５は、フロント側装置１１０の外観を構成するフレーム（言い換えれば、筐体）である。フロント側フレーム１１５のうちメインディスプレイ１１が収容される側とは反対側の面が、後述するリア側フレーム１２５と貼り合わせられる。その結果、表示側装置１０が形成される。
【００３７】
（４）表示側装置１０のうちのリア側装置１２０の構成
図６を参照して、表示側装置１０のうちのリア側装置１２０の詳細な構成について説明する。図６は、表示側装置１０のうちのリア側装置１２０の詳細な構成を、リア側装置１２０が備える各構造物を分解した状態で示す分解斜視図及び分解断面図である。
【００３８】
図６（ａ）及び図６（ｂ）に示すように、リア側装置１２０は、樹脂パネル１２１と、樹脂パネル１２２と、ＰＥＴシート１２３と、サブディスプレイ１５と、静電センサ１６と、リア側フレーム（リア側筐体）１２５とを備えている。尚、図６（ｂ）は、図６（ａ）のＶＩ−ＶＩ’断面図を示している。
【００３９】
樹脂パネル１２１は、「保護部材」の一例であって、サブディスプレイ１５を保護する樹脂製のパネル（言い換えれば、薄板）である。樹脂パネル１２１は、樹脂パネル１２１の法線方向に沿ってサブディスプレイ１５と重なるように、リア側装置１２０中に配置されていることが好ましい。例えば、樹脂パネル１２１は、樹脂パネル１２１の一部又は全体がサブディスプレイ１５の一部又は全体と重なるように配置されていてもよい。樹脂パネル１２１は、光透過性を有していることが好ましい。例えば、樹脂パネル１２１の光透過率が、数十％以上（好ましくは９０％以上、より好ましくは９９％以上）であることが好ましい。
【００４０】
樹脂パネル１２２は、「表面部材」の一例であって、樹脂パネル１２１と同一平面上に配置される。樹脂パネル１２２は、樹脂パネル１２２の法線に沿ってサブディスプレイ１５（或いは、樹脂パネル１２１）と重ならない位置に配置されることが好ましい。図６（ａ）及び図６（ｂ）に示す例では、樹脂パネル１２２は、樹脂パネル１２１に隣接する位置に配置されている。但し、樹脂パネル１２２は、樹脂パネル１２２の法線に沿ってサブディスプレイ１５の一部（或いは、樹脂パネル１２１の一部）と重なる位置に配置されてもよい。樹脂パネル１２２の表面には、静電センサ１６を利用した操作が可能となるように、加工処理（例えば、タッチパッドの外面を形成する平坦化処理等）が行われていてもよい。或いは、樹脂パネル１２２の表面ないしは内部には、そのほかの所定の装飾が施されてもよい。また、樹脂パネル１２２とリア側フレーム１２５との間にＬＥＤ等の発光素子が配置されている場合には、樹脂パネル１２２は、発光素子から発生される光を外部に透過させる孔部を所定の装飾として備えていてもよい。尚、樹脂パネル１２２は、光透過性を有していてもよいし有していなくともよい。
【００４１】
尚、樹脂性のパネルに限らず、上述した条件を満たす任意のパネル（例えば、金属製のパネル等）を樹脂パネル１２１や樹脂パネル１２２として用いてもよい。加えて、リア側装置１２０は、サブディスプレイ１５の大きさや形状や数、静電センサ１６の大きさや形状や数、その他の機能部の大きさや形状や数、及び施すべき装飾の種類や形状や数等に御応じて、２つの樹脂パネル１２１及び１２２に加えて、更に多くの樹脂パネルを備えていてもよい。
【００４２】
ＰＥＴシート１２３は、「防水シート」の一例であって、ＰＥＴを含む薄膜状のシートである。ＰＥＴシート１２３は、光透過性を有していることが好ましい。例えば、ＰＥＴシート１２３の光透過率が、数十％以上（好ましくは９０％以上、より好ましくは９９％以上）であることが好ましい。尚、ＰＥＴ以外の任意の材料（例えば、任意の樹脂や、任意の繊維や、任意の金属等）を含む薄膜状のシートないしは薄板状のパネルを、ＰＥＴシート１２３として用いてもよい。また、ＰＥＴシート１２３の表面ないしは内部には、所定の装飾が施されてもよい。
【００４３】
ＰＥＴシート１２３の一方の面上には、ＯＣＡ１２４を用いて、樹脂パネル１２１及び樹脂パネル１２２が貼り付けられる。但し、ＯＣＡ１２４以外の光学のり（或いは、光透過性を有する接着材）を用いて、樹脂パネル１２１及び樹脂パネル１２２がＰＥＴシート１２３の一方の面上に貼り付けられてもよい。図６（ａ）及び図６（ｂ）中の矢印は、ＰＥＴシート１２３に対する樹脂パネル１２１及び樹脂パネル１２２の貼り付けの態様を示している。従って、ＰＥＴシート１２３は、樹脂パネル１２１及び樹脂パネル１２２の面方向のサイズと同一の又はより大きい面方向のサイズを有していることが好ましい。但し、後述の第１及び第２変形例で説明するように、ＰＥＴシート１２３は、樹脂パネル１２１及び樹脂パネル１２２の面方向のサイズよりも小さい面方向のサイズを有していてもよい。尚、図６（ａ）及び図６（ｂ）では、ＰＥＴシート１２３の全面にＯＣＡ１２４が塗布される例が記載されているが、ＰＥＴシート１２３と樹脂パネル１２１の間及びＰＥＴシート１２３と樹脂パネル１２２の間にＯＣＡ１２４が塗布されてもよい。言い換えれば、樹脂パネル１２１と樹脂パネル１２２との間の空隙に対応するＰＥＴシート１２３上にはＯＣＡ１１４が塗布されていなくともよい。
【００４４】
ＰＥＴシート１２３の他方の面（つまり、樹脂パネル１２１及び樹脂パネル１２２が貼り付けられる面とは反対側の面）は、両面テープ１２６を用いて、リア側フレーム１２５に対して貼り付けられる。但し、ＰＥＴシート１２３の他方の面は、両面テープ１２６以外の任意の接着部材（例えば、接着材や、ネジや、ビス等）を用いて、リア側フレーム１２５に対して貼り付けられてもよい。ＰＥＴシート１２３は、リア側フレーム１２５との間にサブディスプレイ１５及び静電センサ１６の双方の全体を挟み込むことができる程度のサイズを有していることが好ましい。加えて、ＰＥＴシート１２３とリア側フレーム１２５とを貼り付ける両面テープ１２６は、両面テープ１２６の内側にサブディスプレイ１５及び静電センサ１６の双方の全体が位置するように、リア側フレーム１２５上に（或いは、ＰＥＴシート１２３上に）配置されることが好ましい。加えて、両面テープ１２６は、両面テープ１２６の内側に位置するサブディスプレイ１５及び静電センサ１６の双方の防水性を確保することができるように、リア側フレーム１２５上に（或いは、ＰＥＴシート１２３上に）閉ループを形成するように配置されることが好ましい。
【００４５】
尚、樹脂パネル１２１及び樹脂パネル１２２が貼り付けられたＰＥＴシート１２３は、「外装パネル」の一例となる。
【００４６】
リア側フレーム１２５は、リア側装置１２０の外観を構成するフレーム（言い換えれば、筐体）である。リア側フレーム１２５のうちサブディスプレイ１５及び静電センサ１６が収容される側とは反対側の面が、上述のフロント側フレーム１１５のうちメインディスプレイ１１が収容される側とは反対側の面と貼り付けられる。その結果、表示側装置１０が形成される。
【００４７】
以上説明したように、本実施形態の携帯電話１によれば、フロント側装置１１０上では、２つの別個独立の樹脂パネル１１１及び１１２が外装パネルとして機能する。このため、樹脂パネル１１１及び樹脂パネル１１２と同様の機能を有する１枚の外装パネルを用いる場合と比較して、携帯電話１の装飾の自由度を広げることができる。つまり、樹脂パネル１１１は、樹脂パネル１１２に求められる仕様ないしは特性を殆ど若しくは全く又はそれほど考慮することなく、メインディスプレイ１１を覆うために透明材料を用いて、当該透明材料に合った方法で形成される。同様に、樹脂パネル１１２は、樹脂パネル１１１に求められる仕様ないしは特性を殆ど若しくは全く又はそれほど考慮することなく、例えば装飾を施しやすい材料を用いて、当該材料に合った方法で形成される。尚、同様の技術的効果は、リア側装置１２０が備える２つの別個独立の樹脂パネル１２１及び１２２についてもあてはまる。
【００４８】
更に、本実施形態の携帯電話１によれば、樹脂パネル１１１と樹脂パネル１１２とを別個に製造する（例えば、別個に設計し且つ成形する）ことができる。このため、樹脂パネル１１１及び樹脂パネル１１２と同様の機能を有する１枚の外装パネルを製造する場合に生じ得るヒケの発生を好適に抑制することができる。尚、同様の技術的効果は、リア側装置１２０が備える２つの別個独立の樹脂パネル１２１及び１２２についてもあてはまる。
【００４９】
更に、本実施形態の携帯電話１によれば、樹脂パネル１１１及び樹脂パネル１１２に加えて、更に多数の樹脂パネルを配置することができる。つまり、ＰＥＴシート１１３に貼り付けられる樹脂パネルの数を任意の数又は所望の数に設定することができる。このため、携帯電話１のユーザ毎に個別の装飾を施すことができると共に、携帯電話１のカスタマイズを容易に行うことができる。
【００５０】
更に、本実施形態の携帯電話１によれば、樹脂パネル１１１及び樹脂パネル１１２を、樹脂パネル１１１及び樹脂パネル１１２の厚み方向に沿って重ね合わせなくともよい。言い換えれば、樹脂パネル１１１及び樹脂パネル１１２を、携帯電話１の厚み方向に沿って重ね合わせなくともよい。このため、携帯電話１の薄型化を図ることができる。
【００５１】
本実施形態の携帯電話１によれば、樹脂パネル１１１と樹脂パネル１１２との間の空隙がＰＥＴシート１１３によって覆われることになる。従って、樹脂パネル１１１と樹脂パネル１１２との間の空隙をつたって流れる水滴等は、ＰＥＴシート１１３によってフロント側装置１１０の内部に侵入することができない。このため、携帯電話１の防水性を確保することができる。尚、同様の技術的効果は、リア側装置１２０が備えるＰＥＴシート１２３についてもあてはまる。
【００５２】
本実施形態の携帯電話１によれば、ＯＣＡ１１４を用いて樹脂パネル１１１及び樹脂パネル１１２とＰＥＴシート１１３とが貼り合わせられている。このため、樹脂パネル１１１及び樹脂パネル１１２とＰＥＴシート１１３とを貼り合わせる接着部材に起因した光学特性の劣化（例えば、メインディスプレイ１１から発せられる光の減衰等）を抑制することができる。従って、ユーザは、メインディスプレイ１１の表示内容を鮮明に視認することができる。但し、ＯＣＡ１１４以外の他の光学のりを用いて樹脂パネル１１１及び樹脂パネル１１２とＰＥＴシート１１３とが貼り合わせられている場合であっても、同様の技術的効果を相応に享受することができる。尚、同様の技術的効果は、リア側装置１２０が備えるＯＣＡ１２４についてもあてはまる。
【００５３】
更に、樹脂パネル１１１が光透過性を有していれば、光学特性の劣化を更に抑制することができる。同様に、ＰＥＴシート１１３が光透過性を有していれば、光学特性の劣化を更に抑制できる。従って、ユーザは、メインディスプレイ１１の表示内容をより鮮明に視認することができる。このように、本実施形態の携帯電話１によれば、防水性を確保しながら、全面透過型の表示側装置１０を実現することができる。尚、同様の技術的効果は、リア側装置１２０についてもあてはまる。
【００５４】
本実施形態の携帯電話１によれば、ＰＥＴシート１１３に装飾を加えることもできる。このため、携帯電話１の装飾のバリエーションをより一層増やすことができる。
【００５５】
尚、上述したように、樹脂パネル１１１とＰＥＴシート１１３とは共に光透過性を有していることが好ましい。このため、樹脂パネル１１１とＰＥＴシート１１３とを一体成形によって製造してもよい。その後、一体成形された樹脂パネル１１１及びＰＥＴシート１１３に対して、ＯＣＡ１１４を用いて樹脂パネル１１２を貼り合わせることで、上述したフロント側装置１１０と同等のフロント側装置が製造される。同様に、樹脂パネル１２１とＰＥＴシート１２３とを一体成形によって製造してもよい。その後、一体成形された樹脂パネル１２１及びＰＥＴシート１２３に対して、ＯＣＡ１２４を用いて樹脂パネル１２２を貼り合わせることで、上述したリア側装置１２０と同等のリア側装置が製造される。従って、このように構成しても、上述した技術的効果を好適に享受することができる。
【００５６】
（５）第１変形例
図７及び図８を参照して、第１変形例の携帯電話について説明する。第１変形例の携帯電話では、上述の携帯電話１と比較して、フロント側装置１１０ａ及びリア側装置１２０ａの構成が異なっている。従って、以下では、説明の簡略化のために、第１変形例のフロント側装置１１０ａ及びリア側装置１２０ａに着目して説明を進めると共に、上述した携帯電話１と同一の構成及び動作については、同一の参照符号を付してその詳細な説明については省略する。図７は、第１変形例のフロント側装置１１０ａの詳細な構成を、フロント側装置１１０ａが備える各構造物を分解した状態で示す分解斜視図及び分解断面図である。図８は、第１変形例のリア側装置１２０ａの詳細な構成を、リア側装置１２０ａが備える各構造物を分解した状態で示す分解斜視図及び分解断面図である。
【００５７】
図７に示すように、第１変形例のフロント側装置１１０ａは、上述したフロント側装置１１０と同様に、樹脂パネル１１１と、樹脂パネル１１２と、ＰＥＴシート１１３ａと、メインディスプレイ１１と、フロント側フレーム１１５とを備えている。尚、図７（ｂ）は、図７（ａ）のＶＩＩ−ＶＩＩ’断面図を示している。
【００５８】
第１変形例では、ＰＥＴシート１１３ａの形状が、上述したＰＥＴシート１１３の形状とは異なっている。具体的には、ＰＥＴシート１１３ａは、樹脂パネル１１１と樹脂パネル１１２との間の間隙を覆う形状を有している。言い換えれば、ＰＥＴシート１１３ａは、樹脂パネル１１１と樹脂パネル１１２との間の間隙以外の箇所を覆っていなくともよい。このため、ＰＥＴシート１１３ａは、内部に空隙１１７ａを有する枠型の形状を有している。
【００５９】
尚、第１変形例では、樹脂パネル１１１、樹脂パネル１１２及びＰＥＴシート１１３ａの夫々が、両面テープ１１６を用いてフロント側フレーム１１５に貼り付けられてもよい。つまり、第１変形例では、樹脂パネル１１１、樹脂パネル１１２及びＰＥＴシート１１３ａと、両面テープ１１６と、フロント側フレーム１１５とによって形成される空間の防水性が確保されてもよい。従って、第１変形例では、樹脂パネル１１１、樹脂パネル１１２及びＰＥＴシート１１３ａと、両面テープ１１６と、フロント側フレーム１１５とによって形成される空間に、メインディスプレイ１１が配置されてもよい。
【００６０】
同様に、図８に示すように、第１変形例のリア側装置１２０ａは、上述したリア側装置１２０と同様に、樹脂パネル１２１と、樹脂パネル１２２と、ＰＥＴシート１２３ａと、サブディスプレイ１５と、静電センサ１６と、リア側フレーム１２５とを備えている。尚、図８（ｂ）は、図８（ａ）のＶＩＩＩ−ＶＩＩＩ’断面図を示している。
【００６１】
第１変形例では、ＰＥＴシート１２３ａの形状が、上述したＰＥＴシート１２３の形状とは異なっている。具体的には、ＰＥＴシート１２３ａは、樹脂パネル１２１と樹脂パネル１２２との間の間隙を覆う形状を有している。言い換えれば、ＰＥＴシート１２３ａは、樹脂パネル１２１と樹脂パネル１２２との間の間隙以外の箇所を覆っていなくともよい。
【００６２】
尚、第１変形例では、樹脂パネル１２１、樹脂パネル１２２及びＰＥＴシート１２３ａの夫々がＯＣＡ１２４を用いて貼り付けられ、ＰＥＴシート１２３ａは両面テープ１２６を用いてリア側フレーム１２５に貼り付けられることが好ましい。つまり、第１変形例では、樹脂パネル１２１、樹脂パネル１２２及びＰＥＴシート１２３ａと、両面テープ１２６と、リア側フレーム１２５とによって形成される空間の防水性が確保されることが好ましい。従って、第１変形例では、樹脂パネル１２１、樹脂パネル１２２及びＰＥＴシート１２３ａと、両面テープ１２６と、リア側フレーム１２５とによって形成される空間に、サブディスプレイ１５及び静電センサ１６が配置されることが好ましい。
【００６３】
以上説明したように、第１変形例においても、上述した携帯電話１と同様に、樹脂パネル１１１と樹脂パネル１１２との間の空隙がＰＥＴシート１１３ａによって覆われることになる。従って、樹脂パネル１１１と樹脂パネル１１２との間の空隙をつたって流れる水滴等は、ＰＥＴシート１１３ａによってフロント側装置１１０ａの内部に侵入することができない。このため、携帯電話１の防水性を確保することができる。尚、同様の技術的効果は、リア側装置１２０ａが備えるＰＥＴシート１２３ａについてもあてはまる。
【００６４】
もちろん、第１変形例の携帯電話は、上述した携帯電話１が享受するその他の技術的効果を好適に享受することができることは言うまでもない。
【００６５】
（６）第２変形例
図９及び図１０を参照して、第２変形例の携帯電話について説明する。第２変形例の携帯電話では、上述の携帯電話１と比較して、フロント側装置１１０ｂ及びリア側装置１２０ｂの構成が異なっている。従って、以下では、説明の簡略化のために、第２変形例のフロント側装置１１０ｂ及びリア側装置１２０ｂに着目して説明を進めると共に、上述した携帯電話１と同一の構成及び動作については、同一の参照符号を付してその詳細な説明については省略する。図９は、第２変形例のフロント側装置１１０ｂの詳細な構成を、フロント側装置１１０ｂが備える各構造物を分解した状態で示す分解斜視図及び分解断面図である。図１０は、第２変形例のリア側装置１２０ｂの詳細な構成を、リア側装置１２０ｂが備える各構造物を分解した状態で示す分解斜視図及び分解断面図である。
【００６６】
図９に示すように、第２変形例のフロント側装置１１０ｂは、上述したフロント側装置１１０と同様に、樹脂パネル１１１と、樹脂パネル１１２と、ＰＥＴシート１１３ｂと、メインディスプレイ１１と、フロント側フレーム１１５とを備えている。尚、図９（ｂ）は、図９（ａ）のＩＸ−ＩＸ’断面図を示している。
【００６７】
第２変形例では、ＰＥＴシート１１３ｂの形状が、上述したＰＥＴシート１１３及びＰＥＴシート１１３ａの形状とは異なっている。具体的には、ＰＥＴシート１１３ｂは、樹脂パネル１１１と樹脂パネル１１２との間の間隙並びに樹脂パネル１１１及び樹脂パネル１１２の夫々の外縁部分を覆う形状を有している。言い換えれば、ＰＥＴシート１１３ｂは、樹脂パネル１１１と樹脂パネル１１２との間の間隙並びに樹脂パネル１１１及び樹脂パネル１１２の夫々の外縁部分以外の箇所を覆っていなくともよい。このため、ＰＥＴシート１１３ｂは、内部に空隙１１７ｂを有する枠型の形状を有している。
【００６８】
同様に、図１０に示すように、第２変形例のリア側装置１２０ｂは、上述したリア側装置１２０と同様に、樹脂パネル１２１と、樹脂パネル１２２と、ＰＥＴシート１２３ｂと、サブディスプレイ１５と、静電センサ１６と、リア側フレーム１２５とを備えている。尚、図１０（ｂ）は、図１０（ａ）のＸ−Ｘ’断面図を示している。
【００６９】
第２変形例では、ＰＥＴシート１２３ｂの形状が、上述したＰＥＴシート１２３及びＰＥＴシート１２３ａの形状とは異なっている。具体的には、ＰＥＴシート１２３ｂは、樹脂パネル１２１と樹脂パネル１２２との間の間隙並びに樹脂パネル１２１及び樹脂パネル１２２の夫々の外縁部分を覆う形状を有している。言い換えれば、ＰＥＴシート１２３ａは、樹脂パネル１２１と樹脂パネル１２２との間の間隙並びに樹脂パネル１２１及び樹脂パネル１２２の夫々の外縁部分以外の箇所を覆っていなくともよい。このため、ＰＥＴシート１１３ｂは、内部に空隙１２７ｂを有する枠型の形状を有している。
【００７０】
以上説明したように、第２変形例においても、上述した携帯電話１と同様に、樹脂パネル１１１と樹脂パネル１１２との間の空隙がＰＥＴシート１１３ｂによって覆われることになる。従って、樹脂パネル１１１と樹脂パネル１１２との間の空隙をつたって流れる水滴等は、ＰＥＴシート１１３ｂによってフロント側装置１１０ｂの内部に侵入することができない。このため、携帯電話１の防水性を確保することができる。尚、同様の技術的効果は、リア側装置１２０ｂが備えるＰＥＴシート１２３ｂについてもあてはまる。
【００７１】
もちろん、第２変形例の携帯電話は、上述した携帯電話１が享受するその他の技術的効果を好適に享受することができることは言うまでもない。
【００７２】
以上説明した実施形態に関して、更に以下の付記を開示する。
【００７３】
（付記１）
表示部と、
前記表示部上に配置され、前記表示部を保護する保護部材と、
前記保護部材と同一面上に配置される表面部材と、
少なくとも前記保護部材と前記表面部材との間の間隙を覆う形状を有しており、且つ前記保護部材及び前記表面部材と前記表示部との間に挟持される防水シートと
を備えることを特徴とする電子機器。
【００７４】
（付記２）
前記防水シートは、少なくとも前記保護部材及び前記表面部材の夫々の外縁部分を覆う形状を有していることを特徴とする付記１に記載の電子機器。
【００７５】
（付記３）
前記防水シートは、前記保護部材及び前記表面部材の全体を覆う形状を有していることを特徴とする付記１又は２に記載の電子機器。
【００７６】
（付記４）
前記保護部材及び前記表面部材と、前記防水シートとは、光透過性を有する接着部材によって貼り付けられていることを特徴とする付記１から３のいずれか一項に記載の電子機器。
【００７７】
（付記５）
前記接着部材は、ＯＣＡ（Optical Clear Adhensive）を含むことを特徴とする付記４に記載の電子機器。
【００７８】
（付記６）
前記保護部材及び前記防水シートの少なくとも一方は、光透過性を有していることを特徴とする付記１から５のいずれか一項に記載の電子機器。
【００７９】
（付記７）
前記防水シートと前記保護部材とが一体成形されており、
前記表面部材は、前記保護部材と一体成形されている前記防水シート上に配置されることを特徴とする付記１から６のいずれか一項に記載の電子機器。
【００８０】
（付記８）
前記電子機器は、前記表示部が有する表示機能とは異なる機能を有する機能部を、前記表示部を備える位置とは異なる位置に更に備えており、
前記表面部材は、前記機能部上に配置されることを特徴とする付記１から７のいずれか一項に記載の電子機器。
【００８１】
（付記９）
前記表面部材は、前記電子機器に対する装飾を行う装飾部材を含むことを特徴とする付記１から８のいずれか一項に記載の電子機器。
【００８２】
（付記１０）
電子機器の第１部分上に配置され、前記第１部分を保護する保護部材と、
前記電子機器の前記第１部分とは異なる第２部分上に配置され、前記第２部分を保護する表面部材と、
少なくとも前記保護部材と前記表面部材との間の間隙を覆う形状を有しており、且つ前記保護部材及び前記表面部材と前記第１及び第２部分との間に挟持される防水シートと
を備えることを特徴とする電子機器。
【００８３】
（付記１１）
表示部を備えた電子機器に取り付けられる外装パネルであって、
前記表示部上に配置され、前記表示部を保護する保護部材と、
前記保護部材と同一面上に配置される表面部材と、
少なくとも前記保護部材と前記表面部材との間の間隙を覆う形状を有しており、且つ前記保護部材及び前記表面部材と前記表示部との間に挟持される防水シートと
を備えることを特徴とする外装パネル。
【００８４】
（付記１２）
電子機器に取り付けられる外装パネルであって、
前記電子機器の第１部分上に配置され、前記第１部分を保護する保護部材と、
前記電子機器の前記第１部分とは異なる第２部分上に配置され、前記第２部分を保護する表面部材と、
少なくとも前記保護部材と前記表面部材との間の間隙を覆う形状を有しており、且つ前記保護部材及び前記表面部材と前記第１及び第２部分との間に挟持される防水シートと
を備えることを特徴とする外装パネル。
【００８５】
本発明は、上述した実施形態に限られるものではなく、請求の範囲及び明細書全体から読み取れる発明の要旨或いは思想に反しない範囲で適宜変更可能であり、そのような変更を伴なう電子機器及び外装パネルもまた本発明の技術的範囲に含まれるものである。
【符号の説明】
【００８６】
１  携帯電話
１０  表示側装置
１１  メインディスプレイ
１５  サブディスプレイ
１６  静電センサ
１１０  フロント側装置
１１１  樹脂パネル
１１２  樹脂パネル
１１３  ＰＥＴシート
１１４  ＯＣＡ
１１５  フロント側フレーム
１２０  リア側装置
１２１  樹脂パネル
１２２  樹脂パネル
１２３  ＰＥＴシート
１２４  ＯＣＡ
１２５  フロント側フレーム
２０  操作側装置
【図１】
2012042550.tif 000003
【図２】
2012042550.tif 000004
【図３】
2012042550.tif 000005
【図４】
2012042550.tif 000006
【図５】
2012042550.tif 000007
【図６】
2012042550.tif 000008
【図７】
2012042550.tif 000009
【図８】
2012042550.tif 000010
【図９】
2012042550.tif 000011
【図１０】
2012042550.tif 000012